(57)【要約】【課題】複数の異なる信号光を別々のエリアに送信する場合に、簡単な構成でユーザにとって各受信エリアを視覚的に認識可能にする。【解決手段】Ｒ、Ｇ、Ｂの各可視光送信部１Ｒ、１Ｇ、１Ｂは、３つのチャネルのオーディオ信号の各々で、それぞれ異なる波長の可視光を変調して目視可能に、また、その各可視光を受信エリアの一部が重畳するように送信し、受信カード２ａ、２ｂは可視光送信部のいずれかにより送信された可視光を受光してそのオーディオ信号をヘッドホン３ａ、３ｂに出力する。【選択図】        図１
2004193898.tif 000002
【特許請求の範囲】
【請求項１】
複数の信号の各々で、それぞれ異なる波長の複数の可視光を変調して目視可能に送信する複数の可視光送信手段を備えた可視光送信装置。
【請求項２】
複数の信号の各々でそれぞれ異なる波長の複数の可視光を変調して目視可能に、かつ受信エリアの一部が重畳するように送信された光信号を受信する可視光受信装置であって、
送信された前記複数の可視光のうちの少なくとも１つの可視光を受光して、前記受信エリアにおける各可視光の重なり具合に応じたそれぞれの可視光の受光レベルに基づき各信号を復調する可視光受信手段を備えた可視光受信装置。
【請求項３】
複数の信号の各々でそれぞれ異なる波長の複数の可視光を変調して目視可能に、かつ受信エリアの一部が重畳するように送信する複数の可視光送信手段と、
前記複数の可視光送信手段より送信された可視光のうちの少なくとも１つの可視光を受光して、前記受信エリアにおける各可視光の重なり具合に応じたそれぞれの可視光の受光レベルに基づき各信号を復調する可視光受信手段とを、
備えた可視光通信装置。
【請求項４】
前記可視光送信手段は、
複数のチャネルの音声信号の各チャネルで、それぞれ共通の局部発振周波数を変調する複数の変調手段と、
前記複数の変調手段の各々によりそれぞれ変調された各信号を異なる波長の可視光に変換し、その各可視光を受信エリアの一部が重畳するように送信する可視光発光手段とを備え、
前記可視光受信手段は、
前記可視光発光手段により前記受信エリアに送信された可視光を受光して光電変換する光電変換手段と、
前記光電変換手段により変換された信号を復調して、前記受信エリアにおける各可視光の重なり具合に応じたそれぞれの可視光の受光レベルに基づき各チャネルの音声信号を再生する手段とを備えた請求項３に記載の可視光通信装置。
【発明の詳細な説明】
【０００１】
【発明の属する技術分野】
本発明は、種々の信号で可視光を変調して伝送する可視光送信装置及び可視光受信装置並びに可視光通信装置に関する。
【０００２】
【従来の技術】
従来、光を通信媒体として無線通信を行う場合には、目に見えない赤外光が用いられている。その理由は、赤外光の送信デバイスや受信デバイスの伝送効率が可視光のそれに対して高く、また、可視光を用いると人にとって視覚的に不快であったり、邪魔になることなどが挙げられる。一方、可視光を用いた場合には、受信可能エリアを人が視覚的に認識できるので、用途によっては利便性、娯楽性などに優れている。例えば２以上のＰＣ（パーソナルコンピュータ）に光の送受信器を設けてお互いに向き合わせて通信を行うことを考えた場合、送信光は可視光の方がユーザにとって各ＰＣの配置が容易である。
【０００３】
上記のような配置を可能にする従来例としては、例えば特許文献１に開示されているものがある。特許文献１では、電子機器の状況を表示する可視光ＬＥＤと、送信光を出射する赤外ＬＥＤと、可視光ＬＥＤ及び赤外ＬＥＤの各出射光を結合するオプティカルガイドとで構成して、電子機器の１つの開口から可視光と赤外光の両方を出力するようにしている。
【０００４】
【特許文献１】
特開平１０−３０３４６３号公報（要約、図１）
【０００５】
【発明が解決しようとする課題】
しかしながら、上記従来例では、可視光ＬＥＤ及び赤外ＬＥＤの各出射光を結合するので、構成が複雑であるという問題点がある。また、複数の異なる信号光を別々のエリアに送信する場合に、ユーザにとって各受信エリアを視覚的に認識可能にすることが望まれる。
【０００６】
そこで、本発明は上記の問題点に鑑み、複数の異なる信号光を別々のエリアに送信する場合に、簡単な構成でユーザにとって各受信エリアを視覚的に認識することができる可視光送信装置及び可視光受信装置並びに可視光通信装置を提供することを目的とする。
【０００７】
【課題を解決するための手段】
本発明は上記目的を達成するために、複数の信号の各々で、それぞれ異なる波長の複数の可視光を変調して目視可能に送信するようにしたものである。
すなわち本発明によれば、複数の信号の各々で、それぞれ異なる波長の複数の可視光を変調して目視可能に送信する複数の可視光送信手段を備えた可視光送信装置が提供される。
【０００８】
また本発明によれば、複数の信号の各々でそれぞれ異なる波長の複数の可視光を変調して目視可能に、かつ受信エリアの一部が重畳するように送信された光信号を受信する可視光受信装置であって、
送信された前記複数の可視光のうちの少なくとも１つの可視光を受光して、前記受信エリアにおける各可視光の重なり具合に応じたそれぞれの可視光の受光レベルに基づき各信号を復調する可視光受信手段を備えた可視光受信装置が提供される。
【０００９】
また本発明によれば、複数の信号の各々でそれぞれ異なる波長の複数の可視光を変調して目視可能に、かつ受信エリアの一部が重畳するように送信する複数の可視光送信手段と、
前記複数の可視光送信手段より送信された可視光のうちの少なくとも１つの可視光を受光して、前記受信エリアにおける各可視光の重なり具合に応じたそれぞれの可視光の受光レベルに基づき各信号を復調する可視光受信手段とを、
備えた可視光通信装置が提供される。
【００１０】
【発明の実施の形態】
以下、図面を参照して本発明の実施の形態について説明する。図１は本発明に係る可視光通信装置の一実施の形態を示す構成図、図２は図１の可視光通信装置の受信エリアを示す説明図、図３は図１の可視光通信装置のシステム構成を示すブロック図である。
【００１１】
図１は、一例としてカラオケ装置を示し、三原色のＲ、Ｇ、Ｂの各可視光送信部１Ｒ、１Ｇ、１Ｂは、ステージ上を投影するようにステージの天井に設置されている。可視光送信部１Ｒ、１Ｇ、１Ｂの投影形状は、例えば図２に示すように加色法による色再現を説明するための形状であり、一部が重畳するように構成される。ステージ上には可視光送信部１Ｒ、１Ｇ、１Ｂの送信光を受信する受信カード２ａ、２ｂが任意に移動可能に載置され、受信カード２ａ、２ｂには、それぞれヘッドホン３ａ、３ｂが接続される。なお、受信カード２ａ、２ｂはマイクロホン（不図示）と一体で組み込むようにすれば、ユーザにとってより便利である。
【００１２】
可視光送信部１Ｒ、１Ｇ、１Ｂからは、例えば図２に示すように、それぞれピアノ、ボーカル、ギターの各チャネルの音声信号でＲ、Ｇ、Ｂの各可視光を変調した光信号が送信される。このため、ステージ上に投影されたＲのみのエリアでは、ピアノの音声信号でＲの可視光を変調した光信号のみが受信され、Ｇのみのエリアでは、ボーカルの音声信号でＧの可視光を変調した光信号のみが受信され、Ｂのみのエリアでは、ギターの音声信号でＢの可視光を変調した光信号のみが受信される。
【００１３】
さらに、ＲとＧが重畳したＹ（イエロー）のエリアでは、ピアノ付きボーカルが受信され、ＧとＢが重畳したＣ（シアン）のエリアでは、ギター付きボーカルが受信され、ＢとＲが重畳したＭ（マゼンタ）のエリアでは、ピアノ／ギターの合奏（カラオケ）が受信され、このため、Ｙ、Ｍ、Ｃの受信エリアでは２チャネルが受信される。また、Ｒ、Ｇ、Ｂのすべてが重畳したＷ（白）のエリアでは、３チャネル全て、すなわちピアノ／ギター付きボーカルが受信される。
【００１４】
次に図３を参照して上記のカラオケ装置のシステム構成について説明する。まず、図３（ａ）に示す送信側では、Ｒ、Ｇ、Ｂの各可視光送信部１Ｒ、１Ｇ、１Ｂはそれぞれ、ステージ上に十分大きな広さを投影可能なように複数の赤ＬＥＤ、緑ＬＥＤ、青ＬＥＤを配列した赤ＬＥＤアレイ１０Ｒ、緑ＬＥＤアレイ１０Ｇ、青ＬＥＤアレイ１０Ｂにより構成され、赤ＬＥＤアレイ１０Ｒ、緑ＬＥＤアレイ１０Ｇ、青ＬＥＤアレイ１０Ｂにはユニバーサル電源１１から共通に電源が供給されている。また、上記の３つのチャネルの各音声信号は、それぞれＡＭ変調器１２Ｒ、１２Ｇ、１２Ｂにより、局部発振器（局発）１３からの共通の局部発振周波数信号をＡＭ変調し、変調された各信号が赤ＬＥＤアレイ１０Ｒ、緑ＬＥＤアレイ１０Ｇ、青ＬＥＤアレイ１０Ｂに供給される。
【００１５】
このため、赤ＬＥＤアレイ１０Ｒ、緑ＬＥＤアレイ１０Ｇ、青ＬＥＤアレイ１０Ｂからは、上記３つのチャネルの各音声信号により強度が変調された光信号がそれぞれ送信される。このため、ステージ上の色の重畳したＹ、Ｍ、Ｃ、Ｗの各エリアでは、Ｒ、Ｇ、Ｂの各受信強度に比例したレベルで受信される。
【００１６】
図３（ｂ）に示す受信カード２では、光信号はＰＤ２１により受光されてＯ／Ｅ変換器（Ｏ／Ｅ）２２によりＲ、Ｇ、Ｂの光受信強度に比例した比率で混合されたＡＭ変調信号として受信される。混合された各ＡＭ変調信号は、変調の際、共通の局部発信器により変調された信号であることから、同期関係が確保され混合される。したがって、次に、この混合されたＡＭ変調信号はＡＭ復調器２３により音声信号に変換されるが、変換された音声信号は、各ＡＭ変調信号の強度に比例した比率で混合される。次いで混合された音声信号はヘッドホン（ＡＭＰ）アンプ２４により増幅されてヘッドホン３に印加される。
【００１７】
なお、上記実施の形態では、可視光で送信する信号形態として音声信号を、また、システム構成としてカラオケ装置を例にしたが、本発明は音声信号、カラオケ装置に限定されず、コンテンツデータなどのあらゆる信号形態に適用することができるので、例えばゲーム機器やＰＣ間通信などにも適用することができる。
【００１８】
【発明の効果】
以上説明したように本発明によれば、複数の信号の各々でそれぞれ異なる波長の可視光を変調して目視可能に送信するようにしたので、複数の異なる信号光を別々のエリアに送信する場合に、簡単な構成でユーザにとって各受信エリアを視覚的に認識することができる。
【図面の簡単な説明】
【図１】本発明に係る可視光通信装置の一実施の形態を示す構成図である。
【図２】図１の可視光通信装置の受信エリアを示す説明図である。
【図３】図１の可視光通信装置のシステム構成を示すブロック図である。
【符号の説明】
１Ｒ、１Ｇ、１Ｂ  可視光送信部
２ａ、２ｂ  受信カード
３ａ、３ｂ  ヘッドホン
１０Ｒ  赤ＬＥＤアレイ
１０Ｇ  緑ＬＥＤアレイ
１０Ｂ  青ＬＥＤアレイ
１１  ユニバーサル電源
１２Ｒ、１２Ｇ、１２Ｂ  ＡＭ変調器
１３  局部発振器（局発）
２１  ＰＤ
２２  Ｏ／Ｅ変換器（Ｏ／Ｅ）
２３  ＡＭ復調器
２４  ヘッドホン（ＡＭＰ）アンプ
【図１】
2004193898.tif 000003
【図２】
2004193898.tif 000004
【図３】
2004193898.tif 000005